【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
体組織に近づけるように構成されたシステムであって、
第１のループ端部と第２のループ端部とを有する少なくとも１つのループを形成する縫合糸ストランドであって、前記縫合糸ストランドは、少なくとも１つのノットと、このノットから延びる自由端とを備える、縫合糸ストランドと、
前記縫合糸ストランドの自由端が引かれるときに、体組織が近づけられるように、前記第１のループ端部を前記第２のループ端部につなぐように構成されているクラスプ装置と、
を備えることを特徴とするシステム。
【請求項２】
前記クラスプ装置は閉リングを形成する前記アイレットを備える請求項１に記載のシステム。
【請求項３】
前記クラスプ装置は縫合糸を自身の中に通せるようにするための開口部を有するＣ字形、Ｕ字形、Ｓ字形、Ｏ字形、コイル型、又はその他の形状であるアイレットを備える、請求項１に記載のシステム。
【請求項４】
さらに、縫合糸通過回収器具を備える請求項１に記載のシステム。
【請求項５】
軟組織の欠陥に近づけるように構成されたシステムであって、
２つの端部を有する少なくとも１つのループを形成する縫合糸ストランドであって、前記縫合糸ストランドは、スライディングノット、ロッキングノット又はラチェッティングノット、及び前記スライディングノット、前記ロッキングノット又は前記ラチェッティングノットから延びる自由端を備える、縫合糸ストランドと、
前記ループの前記２つの端部を固定するように構成されたクラスプ装置と、を備え、
前記縫合糸及びクラスプ装置が、前記組織の欠陥を共同して取り囲み、前記クラスプ装置とは逆方向に延びる前記ループの前記２つの端部で前記欠陥を少なくとも部分的に近づけるように構成されることを特徴とするシステム。
【請求項６】
前記縫合糸及びクラスプ装置が、前記組織の欠陥を取り囲むループを形成するように直列にあるように構成されている請求項５に記載のシステム。
【請求項７】
さらに、前記縫合糸に取外し可能に取り付けるように構成され、及び前記縫合糸を前記軟組織に通すように構成された針を備える請求項５に記載のシステム。
【請求項８】
さらに、前記針と協働するように構成された縫合糸通過回収器具を備える請求項７に記載のシステム。
【請求項９】
前記縫合糸通過回収器具が、前記縫合糸を捕らえるように構成されたブームアームを備える請求項８に記載のシステム。
【請求項１０】
前記縫合糸通過回収器具が、前記クラスプ装置に解除可能に結合することができる請求項９に記載のシステム。
【請求項１１】
さらに、前記組織の欠陥に充填して密封するように構成されたプラグ部材を備える請求項５に記載のシステム。
【請求項１２】
１つが前記縫合糸ループの前記端部の各々に接続された複数の返しをさらに備え、前記クラスプ装置が、各々が前記返しに接続できる複数のアイレットを有し、前記アイレットが拡張可能であり、前記返しの少なくとも一部が前記アイレットを通過するように構成される請求項５に記載のシステム。
【請求項１３】
前記縫合糸通過回収器具が、前記縫合糸を捕らえるように構成されたワイヤループを含む請求項８に記載のシステム。
【請求項１４】
前記クラスプ装置がツーピースクリップを含み、第１のピースが前記縫合糸ループの第１の端部に接続することができ、前記クリップの第２のピースが前記縫合糸ループの第２の端部に接続することができ、前記第１のピースが前記第２のピースに結合することができる請求項５に記載のシステム。
【請求項１５】
前記クラスプ装置が、前記縫合糸を受け入れるように構成された開放スロットを有する２つのフックを有し、前記フックが、より小さなサイズに潰れるとともにより大きなサイズに拡大するように弾性的に柔軟である請求項８に記載のシステム。
【請求項１６】
前記縫合糸通過回収器具が２つの針を含み、各々の針が前記縫合糸の端部に接続可能であるとともに独立して動くことができ、前記クラスプ装置が、前記縫合糸通過回収器具に解除可能に接続可能であるとともに、前記縫合糸を受け入れるための開口部を有する請求項８に記載のシステム。
【請求項１７】
前記クラスプ装置及び縫合糸ストランドが、脊椎椎間板の前記輪の欠陥を修復するような構成及び大きさにされる請求項１に記載のシステム。
【請求項１８】
脊椎椎間板の輪の欠陥を修復する方法であって、
第１のループ端部と第２のループ端部とを有する少なくとも１つのループと、スライディングノット、ロッキングノット又はラチェッティングノットとを有する縫合糸を提供するステップと、
第１のループ端部と第２のループ端部を捕らえるように構成されたクラスプ装置を提供するステップと、
前記少なくとも１つの縫合糸ループに取り付けるための、前記縫合糸を前記輪の壁に通すように構成された通し装置を提供するステップと、
前記第１のループ端部を前記通し装置に取り付けるステップと、
前記第１のループ端部を有する前記通し装置を、前記椎間板の輪の壁を通じて挿入するステップと、
前記第２のループ端部を前記椎間板の輪の壁を通じて挿入するステップと、
前記第１のループ端部及び前記第２のループ端部及びクラスプ装置が前記脊椎椎間板の外側にある間に、前記縫合糸ループの前記第１のループ端部及び前記第２のループ端部を前記クラスプ装置に接続するステップと、
前記クラスプ装置を前記輪の欠陥を通じて挿入し、前記少なくとも１つの前記縫合糸ループ及びクラスプ装置が前記輪の欠陥の周囲に連続ループを形成するようにするステップと、
前記縫合糸を締め付けてこのループを引っ張り、前記欠陥を少なくとも部分的に閉じるステップと、を含み、
前記クラスプ装置及び前記少なくとも１つの縫合糸ループが互いに直列であり、前記縫合糸及びクラスプ装置の両方が前記閉じた欠陥を近づけて引き寄せることを特徴とする方法。
【請求項１９】
前記通し装置が針を含み、さらに、前記針を前記縫合糸ループに解除可能に取り付けるステップを含む請求項１８に記載の方法。
【請求項２０】
前記通し装置が前記クラスプ装置に結合され、さらに、前記クラスプ装置を前記通し装置から解除するステップを含む請求項１８に記載の方法。
【請求項２１】
さらに、前記縫合糸ループの前記第１のループ端部を前記輪の壁を通じて前記椎間板の前記外側から前記内側へ挿入するステップと、
前記第１のループ端部を前記輪の前記欠陥を通じて回収し、前記第１のループ端部が前記椎間板空間の外側にくるようにするステップと、
前記第２のループ端部を前記椎間板の前記外側から前記内側へ挿入するステップと、
前記第２のループ端部を前記輪の前記欠陥を通じて回収し、前記第２のループ端部が前記椎間板空間の外側にくるようにするステップと、を含む請求項１８に記載の方法。
【請求項２２】
前記クラスプ装置がマルチピース接続可能クリップを含み、さらに、前記マルチピースクリップの第１のピースを該マルチピースクリップの第２のピースに接続するステップを含む請求項２１に記載の方法。
【請求項２３】
さらに、前記第１のループ端部を前記マルチピースクリップの前記第１のピースに接続するステップと、
前記第２のループ端部を前記マルチピースクリップの前記第２のピースに接続するステップと、を含む請求項２２に記載の方法。
【請求項２４】
前記第１のループ端部又は第２のループ端部を前記椎間板の輪の壁を通じて挿入する前に、前記少なくとも１つの縫合糸ループを前記マルチピースクリップの前記第１及び第２のピースの少なくとも１つに接続する、請求項２３に記載の方法。